(57)【要約】【課題】望遠鏡のレンズ部から容易に脱落しないレンズキャップを提供する。【解決手段】連結部材６にレンズ保護カバー３，４を光軸とほぼ平行な回転軸回りに回転可能に連結する。連結部材６にノブ７を摺動可能に設ける。ノブ７の摺動動に連動して回転するレバー８，９を連結部材６に設ける。レバー８，９が回転したときに接眼レンズ２１のフランジ部２１ａに係合する係合片８ｄ，９ｄをレバー８，９に設ける。【選択図】図１
2008224948.tif 000002
【特許請求の範囲】
【請求項１】
レンズ部の先端部の外周面に着脱可能なレンズ保護カバーと、
このレンズ保護カバーと連結されたハウジングと、
このハウジングに摺動可能に設けられたノブと、
前記レンズ保護カバーに設けられ、前記ノブの摺動に連動して前記レンズ部表面に対して係合・離脱の切替可能な連動部材と
を備えることを特徴とするレンズキャップ。
【請求項２】
前記連結部材は、前記レンズ部表面に設けられた係合部に係合することを特徴とする請求項１記載のレンズキャップ。
【請求項３】
前記レンズ保護カバーが左及び右レンズ保護カバーで構成され、
この左及び右レンズ保護カバーが前記ハウジングに対してそれぞれ前記レンズ部の光軸とほぼ平行な回転軸回りに回転可能であり、
前記ノブは前記連動部材の前記光軸とほぼ平行な回転軸回りの回転を許容する
ことを特徴とする請求項１記載のレンズキャップ。
【請求項４】
前記左及び右レンズ保護カバーに前記光軸とほぼ平行な回転軸回りに回転するギヤが設けられ、
これらのギヤ同士が噛み合っていることを特徴とする請求項１記載のレンズキャップ。
【請求項５】
請求項１〜４のいずれか１項記載のレンズキャップの前記連動部材と係合する係合部を備えていることを特徴とする望遠鏡。
【発明の詳細な説明】
【技術分野】
【０００１】
この発明は望遠鏡のレンズ部を保護するレンズキャップ及びそのレンズキャップが装着される望遠鏡に関する。
【背景技術】
【０００２】
従来、継手により回転可能に連結された２つのカバー部からなる望遠鏡の一種である双眼鏡の接眼レンズカバーが知られている。
【０００３】
２つのカバーの内面が接眼レンズを収納する鏡筒の外面に接触することにより、２つのカバーは接眼レンズ鏡筒に固定される。
【特許文献１】実用新案登録第３０６６４６７号公報
【発明の開示】
【発明が解決しようとする課題】
【０００４】
上述の接眼レンズカバーには、例えば望遠鏡の一種である双眼鏡を持ち運ぶときに接眼レンズカバーに外力が加わると、双眼鏡の接眼レンズカバーが簡単に脱落する虞があるという問題があった。
【０００５】
この発明はこのような事情に鑑みてなされたもので、その課題は双眼鏡等の望遠鏡の接眼レンズや対物レンズ等のレンズ部から容易に脱落しないレンズキャップを提供することである。
【課題を解決するための手段】
【０００６】
前述の課題を解決するため請求項１の発明のレンズキャップは、レンズ部の先端部の外周面に着脱可能なレンズ保護カバーと、このレンズ保護カバーと連結されたハウジングと、このハウジングに摺動可能に設けられたノブと、前記レンズ保護カバーに設けられ、前記ノブの摺動に連動して前記レンズ部表面に対して係合・離脱の切替可能な連動部材とを備えることを特徴とする。
【発明の効果】
【０００７】
この発明によれば、望遠鏡のレンズ部から容易に脱落しないレンズキャップを提供することができる。
【発明を実施するための最良の形態】
【０００８】
以下、この発明の実施の形態を図面に基づいて説明する。
【０００９】
図１はこの発明の一実施形態に係るレンズキャップのレンズ保護カバー同士の間隔を最も広げた状態の背面図、図２は図１に示すレンズキャップの平面図、図３は図１に示すレンズキャップの正面図、図４は図１に示すレンズキャップのレンズ保護カバー同士の間隔を最も狭めた状態を示し、同図（ａ）は背面図、同図（ｂ）は正面図、図５は図１に示すレンズキャップの連結部材の拡大図、図６は図１に示すレンズキャップのレバーがレンズ部に係合していない状態を示し、同図（ａ）は断面を示す概念図、同図（ｂ）は背面図、同図（ｃ）は同図（ａ）に示されるｃ部の拡大図、図７は図１に示すレンズキャップのレバーがレンズ部に係合した状態を示し、同図（ａ）は断面を示す概念図、同図（ｂ）は背面図、同図（ｃ）は同図（ａ）に示されるｃ部の拡大図、同図（ｄ）は同図（ａ）に示されるｄ部の拡大図である。なお、図１、図４〜７において連結部材６から裏蓋６３が外されている。
【００１０】
このレンズキャップは双眼鏡（望遠鏡）の接眼レンズ（レンズ部）２１に装着され、接眼レンズ２１（図６，７参照）を保護するものである。
【００１１】
レンズキャップは左レンズ保護カバー３と右レンズ保護カバー４と連結部材（ハウジング）６とノブ７とレバー（連動部材）８，９とを備える。
【００１２】
左レンズ保護カバー３はカバー本体３１と回転部３２とを有する。
【００１３】
カバー本体３１はキャップ状であり、接眼レンズ２１の先端部に着脱可能に装着される。カバー本体３１の内周面には突片３１ａが形成されている。突片３１ａは回転部３２に回転可能に取り付けられたレバー８とカバー本体３１の径方向で対向する。カバー本体３１を接眼レンズ２１に装着したとき、カバー本体３１の内周面と接眼レンズ２１の外周面との間には隙間が生じる。
【００１４】
回転部３２は円筒部３２ａ（図６，７参照）とギヤ部３２ｂとを有し、カバー本体３１の側面に結合されている。円筒部３２ａの側面には切欠３２ｃ（図６（ａ）参照）が形成されている。また、円筒部３２ａの内周面には軸受溝３２ｄが形成されている（図５参照）。ギヤ部３２ｂはギヤを有する。ギヤはギヤ部３２ｂの外周面の周方向のほぼ１／３の部分に形成されている。
【００１５】
右レンズ保護カバー４は左レンズ保護カバー３と線対称の形状を有する。右レンズ保護カバー４はカバー本体４１と回転部４２とを有する。
【００１６】
カバー本体４１はキャップ状であり、接眼レンズ２１の先端部に着脱可能に装着される。カバー本体４１の内周面には突片４１ａが形成されている。突片４１ａは回転部４２に回転可能に取り付けられたレバー９とカバー本体４１の径方向で対向する。カバー本体４１を接眼レンズ２１に装着したとき、カバー本体４１の内周面と接眼レンズ２１の外周面との間には隙間が生じる。
【００１７】
回転部４２は図示しない円筒部（円筒部３２ａと同様である）とギヤ部４２ｂとを有し、カバー本体４１の側面に結合されている。円筒部の側面には図示しない切欠（切欠３２ｃと同様である）が形成されている。また、円筒部の内周面には軸受溝４２ｄが形成されている（図５参照）。ギヤ部４２ｂはギヤを有する。ギヤはギヤ部４２ｂの外周面の周方向のほぼ１／３の部分に形成されている。
【００１８】
図５に示すように、連結部材６は正面板６１と側面板６２とを有する。正面板６１はほぼ三角形であり、２つの回転中心軸６１ａ，６１ｂを有する。レンズキャップを接眼レンズ２１に装着したとき、回転中心軸６１ａ，６１ｂの軸線方向は接眼レンズ２１の光軸方向とほぼ平行になる。回転中心軸６１ａ，６１ｂは中空軸である。回転中心軸６１ａを左レンズ保護カバー３の回転部３２の円筒部３２ａに、回転中心軸６１ｂを右レンズ保護カバー４の回転部４２の円筒部にそれぞれ挿入することによって、左右レンズ保護カバー３，４が連結部材６に回転可能に連結される。左右レンズ保護カバー３，４が連結部材６に回転可能に連結されるとき、両回転部３２，４２のギヤ部３２ｂ，４２ｂ同士が噛み合わされる。正面板６１の上部中央にはクリック板６１ｃが形成されている。クリック板６１ｃは双眼鏡に装着した際の双眼鏡の光学系の光軸方向へ延びている。クリック板６１ｃの側面板６２に対向する面には突起６１ｄが形成されている（図６（ａ）参照）。突起６１ｄはほぼ直線状であり、双眼鏡に装着した際の双眼鏡の光学系の光軸とほぼ直角な方向へ延びている。
【００１９】
側面板６２は正面板６１の周縁部に形成され、正面板６１を囲っている。側面板６２の左側部分及び右側部分にはそれぞれ切欠き６２ａ，６２ｂが形成されている（図５参照）。切欠き６２ａ，６２ｂを介して左右レンズ保護カバー３，４の回転部３２，４２が連結部材６内に挿入される。側面板６２の上側部分には切欠き６２ｃが形成されている。
【００２０】
連結部材６の背面は開放されているが、この背面は裏蓋６３（図２参照）によって閉じられている。
【００２１】
ノブ７は操作部７１と一対の摺動部７２と連結部７３とを有する（図５参照）。操作部７１はほぼ板状であり、その裏面には凸部７１ａが形成されている。凸部７１ａはクリック板６１ｃに摺動可能に接触する。凸部７１ａには２つの溝７１ｂ，７１ｃが形成されている（図６（ａ）参照）。２つの溝７１ｂ，７１ｃは光軸方向に対して直角な方向へ延び、光軸方向に沿って平行に並んでいる。２つの溝７１ｂ，７１ｃはそれぞれクリック板６１ｃの突起６１ｄを受け容れる。
【００２２】
図５に示すように、一対の摺動部７２は操作部７１の両側部にそれぞれ結合されている。各摺動部７２には溝７２ａが形成されている。溝７２ａは光軸方向に沿って延びている。溝７２ａには切欠き６２ｃの周辺部が摺動可能に挿入されている。これにより、ノブ７は光軸方向に沿って移動できる。
【００２３】
連結部７３は一対の摺動部７２に結合されている。連結部７３には２つの連結溝７３ａ，７３ｂが形成されている。連結溝７３ａ，７３ｂは円弧状である。連結溝７３ａ，７３ｂはそれぞれレバー８，９の後述する連結片８ｃ，９ｃを受け容れる。これにより、ノブ７が光軸方向へ動いたとき、ノブ７の動きが連結溝７３ａ，７３ｂを介してレバー８，９に伝わり、レバー８，９が回転する。
【００２４】
レバー８はレバー本体８ａと回転軸８ｂとを有する（図６，７参照）。レバー本体８ａの一端部には連結片８ｃが設けられている。連結片８ｃはノブ７の連結部７３の連結溝７３ａに挿入されている。連結片８ｃの他端部には係合片８ｄが形成されている。係合片８ｄは接眼レンズ２１のフランジ部２１ａに係合する。回転軸８ｂは板状のレバー本体８ａに直交するように延びている。回転軸８ｂは回転部３２の軸受溝３２ｄに回転可能に保持されている（図５参照）。
【００２５】
レバー９はレバー本体９ａと回転軸９ｂとを有する（図６，７参照）。レバー本体９ａの一端部には連結片９ｃが設けられている。連結片９ｃはノブ７の連結部７３の連結溝７３ｂに挿入されている。連結片９ｃの他端部には係合片９ｄが形成されている。係合片９ｄは接眼レンズ２１のフランジ部２１ａに係合する。回転軸９ｂは板状のレバー本体９ａに直交するように延びている。回転軸９ｂは回転部４２の軸受溝４２ｄに回転可能に保持されている（図５参照）。
【００２６】
次に、レンズキャップの動作について説明する。
【００２７】
まず、図６（ａ）に示されるレンズキャップの状態は、レンズキャップが接眼レンズ２１に係止されていない状態である。このとき、連結部材６のクリック板６１ｃの突起６１ｄはノブ７の凸部７１ａの溝７１ｂに嵌っている。また、図６（ｃ）に示すように、カバー本体３１の突片３１ａは接眼レンズ２１のフランジ部２１ａに係合していない。
【００２８】
図６に示されているレンズキャップの状態から、図７（ａ）の矢印で示すように、ノブ７の操作部７１に光軸方向の力を加え、ノブ７をスライドさせる。
【００２９】
その結果、図１，７に示すように、ノブ７の溝７３ａ，７３ｂ（図５参照）に挿入されたレバー８，９の連結片８ｃ、９ｃ（図５参照）がノブ７の連結部７３によって押圧され、レバー８，９はそれぞれ回転軸８ｂ，９ｂを中心にして回転する。レバー８，９が回転すると、レバー８，９の係合部８ｄ，９ｄはギヤ部３２ｂ，４２ｂの切欠３２ｅ，４２ｅを通じてギヤ部３２ｂ，４２ｂ外へ突出し、接眼レンズ２１のフランジ部２１ａと係合し、更に接眼レンズ２１を押圧する。レバー８，９の係合部８ｄ，９ｄが接眼レンズ２１を押圧すると、その反力により、図７（ｃ）の矢印で示すように、レンズキャップが移動し、カバー本体３１，４１の突片３１ａ，４１ａが接眼レンズ２１のフランジ部２１ａに係合する。
【００３０】
このように、レバー８，９の係合片８ｄ，９ｄが接眼レンズ２１のフランジ部２１ａに係合するとともに、カバー本体３１，４２の突片３１ａ，４１ａも接眼レンズ２１のフランジ部２１ａに係合するので、レンズキャップは接眼レンズ２１から容易に脱落しなくなる。
【００３１】
係合を解除するには、図７（ａ）に示される状態からレンズキャップのノブ７を矢印と反対方向へ押圧し、図６（ａ）に示される状態までノブ７をスライドさせればよい。
【００３２】
図１に示す状態からカバー本体３１，４１同士の間隔を狭めるとき、両ギヤ部３２ｂ，４２ｂが噛み合っているので、カバー本体３１，４１同士の間隔を円滑に狭めることができる。
【００３３】
このとき、レバー８，９は回転部３２，４２に取り付けられているので、ギヤ部３２ｂ，４２ｂとともに光軸とほぼ平行な回転軸回りに回転する。このように、レバー８，９が回転するとき、連結片８ｃ，９ｃが移動するが、ノブ７の連結部７３の連結溝７３ａ，７３ｂは円弧状であるので、連結片８ｃ，９ｃの動きを阻害しない。しかし、連結溝７３ａ，７３ｂには常に連結片８ｃ，９ｃが挿入されているので、図１に示す状態や図４に示す状態でも、ノブ７を操作すれば、レバー８，９を回転軸８ｂ，９ｂを中心にして回転させてロック状態にすることができる。
【００３４】
ノブ７を操作するとき、凸部７１ａの溝７１ｂ，７１ｃにクリック板６１ｃの突起６１ｄが係合したり、離脱したりするが、そのときにクリック感を得られる。
【００３５】
以上のように、この実施形態によれば、接眼レンズ２１から容易に脱落しないレンズキャップを提供することができる。
【００３６】
なお、上述の実施形態では、レバー８，９の係合片８ｄ，９ｄと係合する部分として接眼レンズ２１にフランジ部２１ａを設けたが、フランジ部２１ａの代わりに、溝や孔等を設けてもよい。
【００３７】
また、カバー本体３１，４１の突片３１ａ，４１ａを接眼レンズ２１のフランジ部２１ａに係合するようにしたが、必ずしもこのような構成を採用しなくてもよい。
【００３８】
なお、接眼レンズ２１側にフランジ部や溝等が無くても、係合片８ｄ，９ｄが接眼レンズ２１の表面を押圧するので、レンズキャップは接眼レンズから脱落し難くなる効果を有する。
【００３９】
また、両レンズ保護カバー３，４のギヤ部３２ｂ，４２ｂ同士を噛み合わせたが、必ずしもこのような構成を採用する必要は無く、ギヤ部３２ｂ，４２ｂを省略することもできる。
【００４０】
なお、ノブ７に連動してレバー８，９が回転する構成が採用されているが、ノブの動きに対する連動部材の動きは回転運動に限られず、直線往復運動等であってもよい。
【００４１】
また、上述のレンズキャップは双眼鏡の接眼レンズ２１用であるが、双眼鏡の対物レンズ用にも適用することができる。この場合、左右の回転部３２，４２のギヤ部３２ｂ，４２ｂは不要であり、レバー８，９の一方と、これを支持する部材（回転部の位置に設けられる）があれば良い。
【００４２】
なお、この発明は、双眼鏡用だけではなく、単眼用の望遠鏡にも適用することができる。
【図面の簡単な説明】
【００４３】
【図１】図１はこの発明の一実施形態に係るレンズキャップのレンズ保護カバー同士の間隔を最も広げた状態の背面図である。
【図２】図２は図１に示すレンズキャップの平面図である。
【図３】図３は図１に示すレンズキャップの正面図である。
【図４】図４は図１に示すレンズキャップのレンズ保護カバー同士の間隔を最も狭めた状態を示し、同図（ａ）は背面図、同図（ｂ）は正面図である。
【図５】図５は図１に示すレンズキャップの連結部材の拡大図である。
【図６】図６は図１に示すレンズキャップのレバーがレンズ部に係合していない状態を示し、同図（ａ）は断面を示す概念図、同図（ｂ）は背面図、同図（ｃ）は同図（ａ）に示されるｃ部の拡大図である。
【図７】図７は図１に示すレンズキャップのレバーがレンズ部に係合した状態を示し、同図（ａ）は断面を示す概念図、同図（ｂ）は背面図、同図（ｃ）は同図（ａ）に示されるｃ部の拡大図、同図（ｄ）は同図（ａ）に示されるｄ部の拡大図である。
【符号の説明】
【００４４】
３，４：レンズ保護カバー、３２ｂ，４２ｂ：ギヤ部（ギヤ）６：連結部材（ハウジング）、７：ノブ、８，９：レバー（連動部材）、８ｄ，９ｄ：係合片、２０：双眼鏡（望遠鏡）、２１：接眼レンズ、２１ａ：フランジ部（係合部）。
【図１】
2008224948.tif 000003
【図２】
2008224948.tif 000004
【図３】
2008224948.tif 000005
【図４】
2008224948.tif 000006
【図５】
2008224948.tif 000007
【図６】
2008224948.tif 000008
【図７】
2008224948.tif 000009